(57)【要約】      （修正有）【課題】保温性を維持しつつ寝返り等による布団端面の浮き上がり量を小さくした羽毛を用いた掛け布団を提供する。【解決手段】掛け布団は、外周縁が縫い合わされた２つの生地によって構成された掛け布団であって、２つの生地間の短手方向を仕切布４−１、４−２、…、４−５によって少なくとも１つの中央区画列Ｐ１２、Ｐ２２、…並びに掛け布団の右端面側区画列及び左端面側区画列に区分し、右端面側区画列Ｐ１１、Ｐ２１、…及び左端面側区画列Ｐ１６、Ｐ２５、…の短手方向幅Ｗ２は中央区画列の短手方向幅Ｗ３より小さく、中央区画列の充填部材は羽毛であり、右端面側区画列及び左端面側区画列の充填部材はパイプである。【選択図】図２
0003231313.tif 000002
【実用新案登録請求の範囲】
【請求項１】
外周縁が縫い合わされた２つの生地によって構成された掛け布団であって、
前記２つの生地間の短手方向を仕切布によって少なくとも１つの中央区画列並びに該掛け布団の右端面側区画列及び左端面側区画列に区分し、
前記右端面側区画列及び前記左端面側区画列の短手方向幅は前記中央区画列の短手方向幅より小さく、
前記中央区画列の充填部材は羽毛であり、
前記右端面側区画列及び前記左端面側区画列の充填部材はパイプである掛け布団。
【請求項２】
前記右端面側区画列及び前記左端面側区画列の短手方向幅は２〜１０ｃｍである請求項１に記載の掛け布団。
【請求項３】
前記掛け布団の短手方向の上下端面側区画行の区画数は前記掛け布団の内側の短手方向区画行の区画数より多い請求項１に記載の掛け布団。
【考案の詳細な説明】
【技術分野】
【０００１】
本考案は羽毛（ダウン）を用いた掛け布団に関する。
【背景技術】
【０００２】
一般に、掛け布団は、外周縁が縫い合わされた上下の生地間に充填部材を充填し、その際、充填部材の片寄りを防止するために、上下の生地間は仕切布（キルティング）で予め区画されている。
【０００３】
充填部材として保温性が優れた羽毛を用いた場合、図７に示すごとく、軽量の羽毛のために睡眠中に寝返り等で掛け布団の端面Ｘ１が浮上がり、その浮上がり量Ｘ２は大きくなる。この結果、掛け布団と体とのフィット感（密着度）が低下して羽毛の保温性が低下する。
【０００４】
羽毛を用いた掛け布団の左右端面の睡眠中の寝返り等による浮上がり量を少なくするために、従来の掛け布団においては、仕切布によって長手方向、短手方向をそれぞれ３区画以上に等区分し、長手方向の各中央区画列の充填部材の５０％以上を軽い羽毛とする一方、右端面側区画列及び左端面側区画列の充填部材を重い羽根（フェザ）とし、羽根が充填された右端面側区画列及び左端面側区画列が錘の役目を果たすようにする（参照：特許文献１）。
【先行技術文献】
【特許文献】
【０００５】
【特許文献１】実用新案登録第３１９３９８９号公報
【考案の概要】
【考案が解決しようとする課題】
【０００６】
しかしながら、上述の従来の掛け布団においては、羽根の密度は比較的小さくたとえば０．００３３ｇ／ｃｃ程度であるので、錘として十分作用させるために、羽根が充填された右端面側区画列及び左端面側区画列の短手方向幅を大きくし、その分、羽毛が充填された長手方向の中央区画列の短手方向幅が小さくなり、この結果、羽毛による保温性が低下するという課題がある。
【０００７】
また、上述の従来の掛け布団における右端面側区画列及び左端面側区画列の羽根の通気性、吸湿性、放湿性は不充分であり、この結果、大きな短手方向幅の右端面側区画列及び左端面側区画列によって掛け布団が蒸れるという課題もある。
【課題を解決するための手段】
【０００８】
上述の課題を解決するために、本考案に係る掛け布団は、外周縁が縫い合わされた２つの生地によって構成された掛け布団であって、２つの生地間の短手方向を仕切布によって少なくとも１つの中央区画列並びに掛け布団の右端面側区画列及び左端面側区画列に区分し、右端面側区画列及び左端面側区画列の短手方向幅は中央区画列の短手方向幅より小さく、中央区画列の充填部材は羽毛であり、右端面側区画列及び左端面側区画列の充填部材はパイプである。
【考案の効果】
【０００９】
本考案によれば、パイプの密度は羽根の密度に比較して非常に大きくたとえば０．０８３３ｇ／ｃｃ程度つまり２５倍程度であるので、右端面側区画列及び左端面側区画列の短手方向幅が小さくともその重量は大きい。従って、右端面側区画列及び左端面側区画列の錘としての作用を大きくでき、この結果、睡眠中の寝返り等による掛け布団の左右端面の浮上がり量を小さくして掛け布団と体とのフィット感の低下を抑止できる。また、長手方向の中央区画列の短手方向幅を大きくできるので、中央区画列の羽毛による保温性を大きくできる。さらに、羽根に比較して右端面側区画列及び左端面側区画列のパイプは十分な通気性、吸湿性、放湿性を有するので、掛け布団の蒸れも防止できる。
【図面の簡単な説明】
【００１０】
【図１】本考案に係る掛け布団の実施の形態を示す斜視図である。
【図２】図１の掛け布団の詳細を示し、（Ａ）は平面図、（Ｂ）は仕切布（キルティング）及び区画を示す図である。
【図３】図２の掛け布団に充填される充填部材を示す図であって、（Ａ）は一部透視された斜視図、（Ｂ）は（Ａ）のＢ−Ｂ線断面図である。
【図４】図３のパイプの拡大図である。
【図５】図２の右端面側区画列及び左端面側区画列の錘作用を説明するための図である。
【図６】図１の掛け布団の寝返り状態を示す図である。
【図７】従来の掛け布団の寝返り状態を示す図である。
【考案を実施するための形態】
【００１１】
図１は本考案に係る掛け布団の実施の形態を示す斜視図である。
【００１２】
図１において、掛け布団は外周縁が縫い合わされた長方形の表側生地１、裏側生地２よりなり、掛け布団の性質上、上下対称かつ左右対称である。２つの生地１、２の間は充填部材が片寄らないように仕切布Ｃによって行列状区画Ｐｉｊに区分されている。
【００１３】
図２は図１の掛け布団の詳細を示し、（Ａ）は平面図、（Ｂ）は仕切布（キルティング）及び区画を示す図である。
【００１４】
図２の（Ａ）において、Ｒ１は羽毛が充填される羽毛領域であり、Ｒ２はパイプが充填されるパイプ領域である。すなわち、羽毛領域Ｒ１はパイプ領域Ｒ２に比較して大きい。この場合、羽毛領域Ｒ１の幅はたとえば１００〜１２０ｃｍ程度であるのに対し、パイプ領域Ｒ２の幅はたとえば２〜１０ｃｍと小さい。従って、大きな羽毛領域Ｒ１は高い保温性を発揮することができる。
【００１５】
図２の（Ｂ）に示すように、充填部材の片寄りを防止するために、短手方向（行方向）に等間隔の仕切布３−１、３−２、３−３、３−４を設けると共に、長手方向（列方向）に等間隔の仕切布４−１、４−２、４−３、４−４、４−５を設け、１行目区画行Ｐ１１、Ｐ１２、…、Ｐ１６；２行目区画行Ｐ２１、Ｐ２２、…、Ｐ２５；３行目区画行Ｐ３１、Ｐ３２、…、Ｐ３５；４行目区画行Ｐ４１、Ｐ４２、…、Ｐ４５；５行目区画行Ｐ５１、Ｐ５２、…、Ｐ５６で区分する。ここで、長手方向の仕切布４−３は第２行目、第３行目、第４行目区画行に設けられていない。すなわち、掛け布団の上下端面側区画行つまり第１行目、第５行目区画行の区画数は掛け布団の内側の第２行目、第３行目、第４行目区画行の区画数より多くしている。これにより、襟元のフィット性を高めることができると共に、体中央の大きな区画の羽毛により体にたっぷり暖かい空気を維持できる。
【００１６】
図１の（Ｂ）において、短手方向区画行Ｐ１１、Ｐ１２、…、Ｐ１６；Ｐ２１、Ｐ２２、…、Ｐ２５；Ｐ３１、Ｐ３２、…、Ｐ３５；Ｐ４１、Ｐ４２、…、Ｐ４５；Ｐ５１、Ｐ５２、…、Ｐ５６の長手方向幅はＷ１である。他方、長手方向区画列Ｐ１１、Ｐ２１、…、Ｐ５１；Ｐ１６、Ｐ２５、Ｐ３５、Ｐ４５、Ｐ５６の短手方向幅はＷ２であり、長手方向区画列Ｐ１２、Ｐ２２、…、Ｐ５２；Ｐ１３、Ｐ５３；Ｐ１４、Ｐ５４；Ｐ１５、Ｐ２４、…、Ｐ５５はＷ３であり、長手方向区画列Ｐ２３、Ｐ３３、Ｐ４３は２・Ｗ３である。この場合、
Ｗ２  ＜＜  Ｗ３
である。たとえば、Ｗ２は上述のごとく、２〜１０ｃｍ程度であるのに対し、Ｗ３は２０〜２５ｃｍである。
【００１７】
図３は図２の掛け布団に充填される充填部材を示す図であって、（Ａ）は一部透視された斜視図、（Ｂ）は（Ａ）のＢ−Ｂ線断面図である。
【００１８】
図３において、区画列Ｐ１２、Ｐ２２、Ｐ３２、Ｐ４２、Ｐ５２；Ｐ１３（Ｐ１４）、Ｐ２３、Ｐ３３、Ｐ４３、Ｐ５３（Ｐ５４）；Ｐ１５、Ｐ２４、Ｐ３４、Ｐ４４、Ｐ５５を中央区画列と定義し、羽毛領域Ｒ１に対応する中央区画列全体には充填部材として総量１．１ｋｇの羽毛Ｓ１が充填される。また、区画列Ｐ１１、Ｐ２１、…、Ｐ５１；Ｐ１６、Ｐ２５、Ｐ３５、Ｐ４５、Ｐ５６を右端面側区画列、左端面側区画列と定義し、パイプ領域Ｒ２に対応する右端面側区画列及び左端面側区画列には充填部材としてパイプＳ２が総量４００ｇ（片側列に２００ｇ）充填される。
【００１９】
図４は図３のパイプＳ２の拡大図である。パイプＳ２の素材は一般的な枕に用いられるポリエチレン製で、充填する区画の大きさ、場所に応じて厚さ、長さを異ならせることができる。この場合、パイプＳ２の密度はたとえば０．０８３３ｇ／ｃｃ程度であるので、右端面側区画列及び左端面側区画列の重量を各々２００ｇとすることができる。
【００２０】
図５は図２の右端面側区画列及び左端面側区画列の錘作用を説明するための図である。
【００２１】
図５に示すごとく、右端面側区画列Ｐ１１、Ｐ２１、Ｐ３１、Ｐ４１、Ｐ５１及び左端面側区画列Ｐ１６、Ｐ２５、Ｐ３５、Ｐ４５、Ｐ５６は、その短手方向幅Ｗ２が小さくとも、その重量は大きいので、垂れ下がり、十分に錘として作用できる。また同時に、右端面側区画列Ｐ１１、Ｐ２１、Ｐ３１、Ｐ４１、Ｐ５１及び左端面側区画列Ｐ１６、Ｐ２５、Ｐ３５、Ｐ４５、Ｐ５６は中央区画列からの放熱を抑止することができる。
【００２２】
図６は図１の掛け布団の寝返り状態を説明するための図である。睡眠中に寝返り等で掛け布団の端面Ｙ１が浮き上がるが、右端面側区画列及び左端面側区画列が重いので、その浮き上がり量Ｙ２は小さい。従って、掛け布団が寝袋のごとく体を包み込み、掛け布団と体とのフィット感（密着度）の低下は小さくなり、この結果、羽毛の保温性を維持できる。
【００２３】
さらに、図４に示すパイプは、羽根に比較して、通気性、吸湿性及び放湿性に優れているので、掛け布団の蒸れも少なくなる。
【００２４】
尚、上述の実施の形態においては、区画は５行×５〜６列の行列状をなしているが、２行以上×２列以上の他の行列状になし得る。
【００２５】
尚、本考案は上述の実施の形態の自明の範囲でいかなる変更にも適用できる。
【符号の説明】
【００２６】
１：表側生地
２：裏側生地
Ｃ、３−１、３−２、…、３−４；４−１、４−２、…、４−５：仕切布
Ｒ１：羽毛領域
Ｒ２：パイプ領域
Ｐ１１、Ｐ２１、…：区画
Ｓ１：羽毛
Ｓ２：パイプ
【図１】
0003231313.tif 000003
【図２】
0003231313.tif 000004
【図３】
0003231313.tif 000005
【図４】
0003231313.tif 000006
【図５】
0003231313.tif 000007
【図６】
0003231313.tif 000008
【図７】
0003231313.tif 000009